(57)【要約】【課題】  遊技者による不正行為を防止するメダル計数装置を提供する。【解決手段】  投入口１２に認証メダルが投入されると、メダル計数装置１０はアンテナ５４を介して認証メダルに取り付けられたＲＦＩＤタグから認証データを読み込み、制御部７０でこの認証データが適正か否かを識別する。分岐部５６は、通常、メダルを排出口１８側に送る状態にされており、認証データが適正であると識別された時点から所定の時間だけメダルを回収口１６側に送る状態にされる。メダルを計数するフォトインタラプタ６０は、分岐部５６と回収口１６との間に設けられており、認証データが適正であると識別されない限り、メダルの計数が行われない。従って、認証メダルを保有している者しかメダル計数装置１０を使用できないので、遊技者による不正行為を防止することができる。【選択図】        図２
2005245853.tif 000002
【特許請求の範囲】
【請求項１】
遊技で獲得した遊技メダルが投入される投入口と、前記投入口に投入された遊技メダルを回収口から回収する間にその枚数を計数する計数手段とを備えたメダル計数装置において、
認証データが予め記録されているメモリを内蔵し、遊技メダルの投入に先立って前記投入口に投入される認証メダルとデータ通信を行い、前記認証メダルに記録された認証データを非接触で読み込む読込手段と、
予め用意されている保存データを格納するデータ格納部と、
前記読込手段によって読み込まれた認証データと前記データ格納部に格納されている保存データとを照合し、読み込まれた認証データの適否を識別するデータ識別手段と、
このデータ識別手段で認証データが適正であることが識別されたときに前記計数手段による遊技メダルの計数動作を許可する計数制御手段とを備えたことを特徴とするメダル計数装置。
【請求項２】
前記計数制御手段は、前記データ識別手段で認証データが適正であることを識別した時点から一定の時間を計時するタイマーを備え、このタイマーが一定の時間を計時した時点で、前記計数手段の計数動作を禁止することを特徴とする請求項１記載のメダル計数装置。
【請求項３】
前記計数手段により遊技メダルの計数動作が行われたときには、その計数動作の履歴データを前記認証メダルに内蔵されたメモリ又は前記データ格納部の少なくともいずれかに記録することを特徴とする請求項１又は２に記載のメダル計数装置。
【請求項４】
遊技メダルを回収する前記回収口とは別の排出口と、
前記データ識別手段による認証データの識別結果に応じて、前記投入口に投入された遊技メダル又は前記認証メダルを、前記回収口と前記排出口との何れか一方に排出させる排出切替え手段とを備えたことを特徴とする請求項１から３のいずれか１項に記載のメダル計数装置。
【請求項５】
前記データ識別手段により認証データが適正でないと識別されたことに応答して報知動作を行う警告手段を備えたことを特徴とする請求項１から４のいずれか１項に記載のメダル計数装置。
【請求項６】
前記認証メダルに記録されている認証データと前記データ格納部に格納されている保存データとが、書き換え可能であることを特徴とする、請求項１から５のいずれか１項に記載のメダル計数装置。
【発明の詳細な説明】
【技術分野】
【０００１】
本発明は、メダルを遊技媒体とする遊技機を設置した遊技場において使用されるメダル計数装置に関するものである。
【背景技術】
【０００２】
近年パチンコ店などの遊技場において、遊技媒体にメダルを使用するいわゆるパチスロ機が広く普及している。このような遊技場では、褒賞として払い出されたメダルをメダル計数装置で計数し、その結果を記録したレシートや磁気カードと景品とを交換するシステムが採用されている。
【０００３】
ところがこのようなメダル計数装置には、外部から電磁波を受けるとメダル計数装置内部の電子機器が誤動作を起こし、正確な計数が行えなくなるという欠点を保有しており、故意に強い電磁波をメダル計数装置に放射して、実際のメダル枚数よりも多数の計数結果が出るように操作するという不正を働く遊技者がいる。
【０００４】
このような不正行為を防止するため、電子機器を金属板でシールドしたり、電子機器に使用されるデバイスに耐電磁波性の高い物を使用するなど、様々な電磁波対策が講じられてきた。
【発明の開示】
【発明が解決しようとする課題】
【０００５】
しかしながら、前述のような対策を実施したとしても、電磁波の影響を完全に除去することは出来ない。また、メダル計数装置に当該遊技場外で入手した不当なメダルを投入して計数結果を水増しするという不正を働く遊技者もいる。
【０００６】
本発明は上記課題を鑑みてなされたものであり、遊技者による不正行為を防止するメダル計数装置の提供を目的とする。
【課題を解決するための手段】
【０００７】
前記目的を解決するため、本発明のメダル計数装置は、遊技で獲得した遊技メダルが投入される投入口と、前記投入口に投入された遊技メダルを回収口から回収する間にその枚数を計数する計数手段と、認証データが予め記録されているメモリを内蔵し、遊技メダルの投入に先立って前記投入口に投入される認証メダルとデータ通信を行い、前記認証メダルに記録された認証データを非接触で読み込む読込手段と、予め用意されている保存データを格納するデータ格納部と、前記読込手段によって読み込まれた認証データと前記データ格納部に格納されている保存データとを照合し、読み込まれた認証データの適否を識別するデータ識別手段と、このデータ識別手段で認証データが適正であることが識別されたときに前記計数手段による遊技メダルの計数動作を許可する計数制御手段とを備えたことを特徴とする。
【０００８】
なお、前記計数制御手段は、前記データ識別手段で認証データが適正であることを識別した時点から一定の時間を計時するタイマーを備え、このタイマーが一定の時間を計時した時点で、前記計数手段の計数動作を禁止することが好ましい。
【０００９】
また、前記計数手段により遊技メダルの計数動作が行われたときには、その計数動作の履歴データを前記認証メダルに内蔵されたメモリ又は前記データ格納部の少なくともいずれかに記録することが好ましい。
【００１０】
また、遊技メダルを回収する前記回収口とは別の排出口と、前記データ識別手段による認証データの識別結果に応じて、投入口に投入された遊技メダル又は前記認証メダルを、前記回収口と前記排出口との何れか一方に排出させる排出切替え手段とを備えることが好ましい。
【００１１】
また、前記データ識別手段により認証データが適正でないと識別されたことに応答して報知動作を行う警告手段を備えることが好ましい。
【００１２】
また、前記認証メダルに記録されている認証データと前記データ格納部に格納されている保存データとが、書き換え可能であることが好ましい。
【発明の効果】
【００１３】
本発明によれば、遊技で獲得した遊技メダルが投入される投入口と、投入口に投入された遊技メダルを回収口から回収する間にその枚数を計数する計数手段と、認証データが予め記録されているメモリを内蔵し、遊技メダルの投入に先立って投入口に投入される認証メダルとデータ通信を行い、認証メダルに記録された認証データを非接触で読み込む読込手段と、予め用意されている保存データを格納するデータ格納部と、読込手段によって読み込まれた認証データとデータ格納部に格納されている保存データとを照合し、読み込まれた認証データの適否を識別するデータ識別手段と、このデータ識別手段で認証データが適正であることが識別されたときに計数手段による遊技メダルの計数動作を許可する計数制御手段とを備えたことにより、認証メダルを保有している者しかメダル計数装置を使用できないので、遊技者による不正行為を防止することができる。
【００１４】
また、計数制御手段が、データ識別手段で認証データが適正であることを識別した時点から一定の時間を計時するタイマーを備え、このタイマーが一定の時間を計時した時点で、計数手段の計数動作を禁止することにより、計数可能な状態が不必要に維持されることを防止することができる。
【００１５】
また、計数手段により遊技メダルの計数動作が行われたときには、その計数動作の履歴データを認証メダルに内蔵されたメモリ又はデータ格納部の少なくともいずれかに記録することにより、例えば、認証メダルの保有者による不正行為を抑制することができる。
【００１６】
また、遊技メダルを回収する回収口とは別の排出口と、データ識別手段による認証データの識別結果に応じて、投入口に投入された遊技メダル又は認証メダルを、回収口と排出口との何れか一方に排出させる排出切替え手段とを備えることにより、例えば、データ識別手段で認証データが適正であることを識別した際に、認証メダルのみを排出口に排出することにより、認証メダルが回収口から回収されて、貯蔵されている遊技メダルの中に混入することを防止することができる。
【００１７】
また、データ識別手段により認証データが適正でないと識別されたことに応答して報知動作を行う警告手段を備えることにより、不正行為が行われたことを直ちに従業員などに知らせることができる。
【００１８】
また、認証メダルに記録されている認証データと前記データ格納部に格納されている保存データとが、書き換え可能であることにより、例えば、認証メダルが紛失した場合に、保存データを書き換え、それに対応した認証メダルを新たに作成することにより、紛失した認証メダルが不正に利用されることを防止することができる。
【発明を実施するための最良の形態】
【００１９】
図１は、本発明を適用したメダル計数装置の外観を示す斜視図である。メダル計数装置１０の上面には、遊技で獲得した遊技メダル２００や、この遊技メダル２００と同一の形状に形成され、表面にＲＦＩＤタグ（メモリ）３２０が取り付けられた認証メダル３００を投入する投入口１２が設けられている。ＲＦＩＤタグ３２０には、例えば、ＩＤコードや保有者の名前などの認証データが記録されており、この認証データをメダル計数装置１０が読み込むことによって利用者の識別が行われる。なお、本明細書中においては、遊技メダル２００や認証メダル３００、及び当該遊技場外で入手した不当なメダルなどを総称する際に、メダル４００と称す。
【００２０】
メダル計数装置１０の背面には、投入口１２から投入されたメダル４００をメダル計数装置１０の外に排出するための回収口１６が設けられている。この回収口１６から排出されたメダル４００は、例えば、別途用意されるメダル貯蔵タンクに貯蔵されたり、メダル洗浄装置に送り込まれるなどして回収され、遊技場内を循環させるシステムが採用されている。また、メダル計数装置１０の前面には、例えば、利用者の識別に用いられる認証メダル３００や、識別が行われずに投入された遊技メダル２００などを利用者側に戻す排出口１８と、排出されたこれらのメダル４００を受ける受け皿２０が設けられている。
【００２１】
図２は、メダル計数装置１０の内部の構成を概略的に示す説明図である。投入口１２の下方には、モータ４２によって回転するディスク４０が設けられており、その外周にはメダル４００の飛散を防止する囲い部材４４が設けられている。ディスク４０は、投入口１２からメダル４００が投入された場合に、これを遠心力によって放射状に移動させる。囲い部材４４には、メダル４００が寝かされた状態で１枚ずつ通過するように形成された通過孔４４ａが設けられ、この通過孔４４ａに連結するように第１搬送路５０が設けられている。また、投入口１２に連設されたラッパ型部材４６は、放射状に移動するメダル４００を傾斜によって寝かせ、メダル４００が通過孔４４ａを通過することを補助する。
【００２２】
第１搬送路５０の上方には、メダル４００を第１搬送路５０とで挟持しながら、メダル４００を下流方向（図中右方向）に移動させる搬送用ベルト５２が設けられている。なお、搬送用ベルト５２は、これに限らず、例えば、ローラなどの公知の搬送手段を用いればよい。また、第１搬送路５０の下方には、ＲＦＩＤタグ３２０とデータ通信を行ってＲＦＩＤタグ３２０に記録された認証データを読み出すためのアンテナ５４が設けられており、このアンテナ５４を介して読み出された認証データが、利用者の識別に用いられる。
【００２３】
アンテナ５４の下流には、第１搬送路５０から送られてきたメダル４００を排出口１８側に送る第１状態と、回収口１６側に送る第２状態との間で移動自在な分岐部５６が設けられており、メダル４００の排出先を振り分ける。従って、この分岐部５６は、認証データの識別結果に応じて、投入口１２に投入された遊技メダル２００又は認証メダル３００を、回収口１６と排出口１８との何れか一方に排出させる排出切替え手段として機能する。
【００２４】
また、分岐部５６の下流には、分岐部５６と連結して回収口１６側に送られたメダル４００を搬送用ベルト５２とで挟持し、更に下流方向に搬送する第２搬送路５８が設けられている。この第２搬送路５８には、送られてきたメダル４００を検出するためのフォトインタラプタ６０が設けられており、投入されたメダル４００の枚数を数えるために用いられる。但し、フォトインタラプタ６０は、これに限らずメダル４００の通過を検知し得るものであれば、例えば、接触型のマイクロスイッチなど、何れのタイプのセンサを採用してもかまわない。
【００２５】
一方、分岐部５６の下方には、第１状態にある分岐部５６によって排出口１８側に送られたメダル４００を受け、これを排出口１８に排出する第２傾斜部材６４が設けられている。
【００２６】
なお、フォトインタラプタ６０が数えたメダル４００の枚数は、ＬＣＤパネル１４に表示されるとともに、発券部６６によって、例えば、記録紙やＩＣカードなどの所定の記録媒体に記録され、メダル計数装置１０の背面に設けられた開口６６ａから出力される。
【００２７】
また、分岐部５６や発券部６６などの各部は、図示しない配線を介して制御部７０に接続され、この制御部７０がメダル計数装置１０全体の動作を制御する。
【００２８】
図３は、分岐部５６の構成を概略的に示す説明図である。囲い部材４４の通過孔４４ａに連結する第１搬送路５０は、互いに所定の寸法（遊技メダル２００と認証メダル３００の通過を許容する分の寸法）を隔てて対向するように設けられた一対のガイド部材１００、１０２から構成される。このガイド部材１００、１０２の下面側には、それぞれ搬送中心に向けて突出するメダル受け面１０４、１０６が設けられ、搬送されるメダル４００を下から支持する。
【００２９】
メダル４００の排出先を振り分ける分岐部５６は、ガイド部材１０２に連結するガイド部材１１０と、ソレノイド１１２と、このソレノイド１１２の可動鉄心に固定され、図中実線で示される第１状態と図中二点鎖線で示される第２状態との間で移動自在なガイド部材１１４から構成される。ガイド部材１１４が第１状態にあるときには、ガイド部材１１０との間に遊技メダル２００、及び認証メダル３００の直径以上の間隔が設けられ、送られてきたメダル４００を落下させて第２傾斜部材６４に送る。一方、ガイド部材１１４が第２状態にあるときには、ガイド部材１１０とともに第１搬送路５０と同様の搬送路を形成し、メダル４００を通過させる。
【００３０】
分岐部５６に連結される第２搬送路５８は、ガイド部５８ａ、５８ｂ、及びメダル受け面５８ｃを有している。また、メダル受け面５８ｃには、フォトインタラプタ６０が設けられており、送られてきたメダル４００を検出する。フォトインタラプタ６０は、メダル４００の搬送中心に対して左右何れかにずらされた位置にあることにより、メダル４００の直径よりも短い箇所を検出し、複数枚のメダル４００が連続して（メダル４００同士が当接した状態で）送られてきた場合にも、１枚ずつ正確に検出することができる。
【００３１】
図４は、制御部７０と、これに接続される各部の構成を概略的に示したブロック図である。制御部７０は、プログラムを実行するための演算機能を有するＣＰＵ（Ｃｅｎｔｒａｌ  Ｐｒｏｃｅｓｓｉｎｇ  Ｕｎｉｔ）７２と、制御プログラムなどを格納するＲＯＭ（Ｒｅａｄ  Ｏｎｌｙ  Ｍｅｍｏｒｙ）やプログラム実行用のワークエリアとして使用されるＲＡＭ（Ｒａｎｄｏｍ  Ａｃｃｅｓｓ  Ｍｅｍｏｒｙ）からなるメモリ（データ格納部）７４とを有しており、メモリ７４に格納された制御プログラムをＣＰＵ７２が逐次処理することによって、メダル計数装置１０の各部の動作が制御される。
【００３２】
読み出し／書き込み（以下、Ｒ／Ｗと称す）装置７６は、アンテナ５４を介してＲＦＩＤタグ３２０に対応した電波を送信する。アンテナ５４の上を認証メダル３００が通過する際には、これに取り付けられたＲＦＩＤタグ３２０とデータ通信を行い、ＲＦＩＤタグ３２０に記録された認証データを受信してＣＰＵ７２に出力する。従って、このアンテナ５４とＲ／Ｗ装置７６とによって、遊技メダル２００の投入に先立って投入口１２に投入される認証メダル３００とデータ通信を行い、認証メダル３００に記録された認証データを非接触で読み込む読込手段として機能する。
【００３３】
フォトインタラプタ６０の出力は、メダル４００が検出光を遮ることに応答して、例えば、Ｈｉ（＋５Ｖ）からＬｏ（０Ｖ）、またはＬｏからＨｉなどのように変化する。メダルカウンタ７８は、フォトインタラプタ６０の出力が変化する際に、この立ち上がりエッジ、または立ち下がりエッジを検出し、これをインクリメントしていくことによって投入されたメダル４００の枚数を数える。従って、このフォトインタラプタ６０とメダルカウンタ７８とによって、投入口１２に投入された遊技メダル２００を回収口１６から回収する間にその枚数を計数する計数手段として機能する。
【００３４】
タイマー８０は、ＣＰＵ７２からの作動信号に応答して所定の時間を計時し、所定の時間を計時した後に経過信号をＣＰＵ７２に出力する。
【００３５】
次に、図５に示すフローチャートを用いて、メダル計数装置１０の作用について説明する。投入口１２から投入された認証メダル３００が第１搬送路５０を通過する際、Ｒ／Ｗ装置７６はアンテナ５４を介して認証メダル３００に取り付けられたＲＦＩＤタグ３２０とデータ通信を行い、ＲＦＩＤタグ３２０に記録された認証データを受信する。認証データを受信したＲ／Ｗ装置７６は、この認証データをＣＰＵ７２に出力する。
【００３６】
Ｒ／Ｗ装置７６から認証データを入力されたＣＰＵ７２は、この認証データと予めメモリ７４に格納された保存データとを照合し、認証データが適正か否かを識別する。従って、ＣＰＵ７２は、読み込まれた認証データの適否を識別するデータ識別手段として機能する。
【００３７】
認証データが適正であると識別したＣＰＵ７２は、ガイド部材１１４が第１状態にある分岐部５６を認証メダル３００が通過して排出口１８側に送られたことを確認した後、ソレノイド１１２に信号を出力して第１状態にあるガイド部材１１４を第２状態に移動させる。従って、ＣＰＵ７２は、データ識別手段として機能するとともに、認証データが適正であることが識別されたときに計数手段による遊技メダル２００の計数動作を許可する計数制御手段としても機能する。なお、認証データの識別が行われていないときには、ガイド部材１１４が第１状態にあることから、本実施形態に用いられるソレノイド１１２は、通常は可動鉄心を収納していて、信号が送られたときに可動鉄心を突出させるプッシュタイプのソレノイドを用いることが好ましい。また、認証メダル３００が第１状態にある分岐部５６を通過して排出口１８側に送られたことを確認する方法としては、図示しない通過センサなどによってこれを検出してもよいし、搬送用ベルト５２の搬送速度から時間で判断するようにしてもよい。
【００３８】
分岐部５６に設けられたガイド部材１１４が通常は第１状態にあって、認証データが適正であると識別された後にガイド部材１１４が第２状態に移動されることにより、識別が行われずに投入されたメダル４００は計数されずに排出口１８に排出されるので、メダル計数装置１０の利用者を認証メダル３００の保有者のみに限定して、例えば、故意に強い電磁波をメダル計数装置１０に放射して、実際の遊技メダル２００の枚数よりも多数の計数結果が出るように操作するなどの遊技者による不正行為を防止することができる。更に、読込手段として機能するアンテナ５４とＲ／Ｗ装置７６、及びデータ識別手段として機能するＣＰＵ７２などが、メダル計数装置１０の内部に設けられていることにより、例えば、外部からの細工によって不正に計数可能な状態にされることを防止することができる。
【００３９】
また、認証メダル３００が排出口１８に排出されることにより、認証メダル３００が回収口１６から排出されて、例えば、メダル貯蔵タンクに貯蔵されたり、メダル洗浄装置に送り込まれるなどして回収されることを防止することができる。なお、認証データの識別が行われていない計数不可能な状態と、認証データが適正であると識別された計数可能な状態とをＬＣＤパネル１４に表示して、利用者に報知するようにしてもよい。
【００４０】
次に、認証データが適正であると識別されてガイド部材１１４が第２状態に移動した状態で、遊技で獲得した複数枚の遊技メダル２００が投入口１２に投入されると、これらの遊技メダル２００は、ガイド部材１１４が第２状態にされた分岐部５６を通過して第２搬送路５８に送られる。第２搬送路５８に送られた遊技メダル２００は、フォトインタラプタ６０によって検出され、この検出結果を基にメダルカウンタ７８が投入された遊技メダル２００の枚数を数え、その結果をＣＰＵ７２に出力する。
【００４１】
なお、囲い部材４４に設けられた通過孔４４ａの幅を遊技メダル２００と認証メダル３００の通過を許容する最小限度の幅とし、第１搬送路のメダル受け面１０４、１０６を遊技メダル２００と認証メダル３００を支持可能な最小限度の面積とすることにより、例えば、投入された遊技メダル２００に当該遊技場外で入手した不当なメダルが混入している場合に、不当なメダルが遊技メダル２００よりも大きい場合は通過孔４４ａを通過できずにディスク４０の中に残され、遊技メダル２００よりも小さい場合はメダル受け面１０４、１０６で支持されず第２傾斜部材６４に落下して排出口１８に排出されるので、不当なメダルを計数して実際の遊技メダル２００の枚数よりも多数の計数結果が出ることを防止することができる。
【００４２】
メダルカウンタ７８から計数結果を入力されたＣＰＵ７２は、この計数結果をＬＣＤパネル１４に表示するとともに、発券部６６に出力する。ＣＰＵ７２から計数結果を入力された発券部６６は、この計数結果を所定の記録媒体に記録した後、メダル計数装置１０の背面に設けられた開口６６ａから計数結果を記録した記録媒体を出力する。
【００４３】
なお、ＣＰＵ７２は、認証データが適正であると識別したことに応答してタイマー８０に作動信号を出力する。タイマー８０は、この作動信号に応答して所定の時間を計時した後、経過信号をＣＰＵ７２に出力する。タイマー８０から経過信号を入力されたＣＰＵ７２は、ソレノイド１１２に出力していた信号を停止してガイド部材１１４を第１状態に戻す。これにより、計数可能な状態が不必要に維持されることを防止することができる。但し、タイマー８０の作動タイミングを認証データが適正であると識別された時点とすると、計数する遊技メダル２００が多量にある場合に、計数の途中で所定の時間が経過してしまうおそれがあるので、フォトインタラプタ６０が遊技メダル２００を検出することに応答してタイマー８０にリセット信号を入力し、最後にメダルが検出された時点（計数が終了した時点）から所定の時間を計時するようにしてもよい。
【００４４】
一方、認証データが不適正であると識別したＣＰＵ７２は、ＬＣＤパネル１４に警告を表示し、利用者に認証データが不適正であることを報知する報知動作を行う。従って、ＬＣＤパネル１４は、認証データが適正でないと識別されたことに応答して報知動作を行う警告手段として機能する。なお、ＬＣＤパネル１４の他に、例えば、図示しないスピーカやランプによって、音や光を併せて警告を行うようにしてもよい。
【００４５】
ＲＦＩＤタグ３２０に記録された認証データとメモリ７４に記録された保存データは、当然対応関係にあり、正当な認証メダル３００を用いて認証データが不適正と識別されることは考え難い。従って、認証データが不適正であると識別された場合には、偽造した認証メダルを用いたなどの不正が行われた可能性が高く、前述の報知動作を行うことによって、不正が行われたことを直ちに従業員などに知らせることができる。
【００４６】
ＬＣＤパネル１４に警告を表示したＣＰＵ７２は、例えば、モータ４２の回転など、報知動作以外のメダル計数装置１０の動作を停止させる。なお、上記した警告の報知動作を、例えば、識別が行われずにメダル４００が投入された場合などに適用してもよい。
【００４７】
また、ＣＰＵ７２による動作とは別に、投入された認証メダル３００は、ガイド部材１１４が第１状態にある分岐部５６を通過して排出口１８に排出される。
【００４８】
なお、メダル計数装置１０と認証メダル３００との間で認証データの識別が行われた際に、認証メダル３００に取り付けられたＲＦＩＤタグ３２０とメダル計数装置１０の制御部７０に設けられたメモリ７４との少なくとも何れかに、例えば、日時や計数結果などの履歴データを記録することが好ましい。これにより、例えば、認証メダル３００の保有者による不正行為を抑制することができる。また、万一遊技者によって不正が行われた場合に、不正を行った者や、その方法を特定するためのデータとして利用することができる。但し、認証メダル３００は計数が行われる前に排出口１８に排出されてしまうので、ＲＦＩＤタグ３２０に計数結果を記録するには、計数が終了した後に再度認証メダル３００を投入する必要がある。
【００４９】
また、ＲＦＩＤタグ３２０とメモリ７４は、書き換えが可能であり、例えば、認証メダル３００が紛失した場合に、メモリ７４に記録された保存データを書き換え、それに対応した認証メダル３００を新たに作成することにより、紛失した認証メダル３００が不正に利用されることを防止することができる。
【産業上の利用可能性】
【００５０】
上記実施形態では、メダル計数装置の例を示したが、これに限らず、例えば、パチンコ玉など、その他の遊技媒体を計数する計数装置に本発明を実施してもよい。
【図面の簡単な説明】
【００５１】
【図１】メダル計数装置の外観を示す斜視図である。
【図２】メダル計数装置の内部の構成を概略的に示す説明図である。
【図３】分岐部の構成を概略的に示す説明図である。
【図４】メダル計数装置の制御系の構成を概略的に示すブロック図である。
【図５】メダル計数装置の動作を概略的に示すフローチャートである。
【符号の説明】
【００５２】
１０  メダル計数装置
１２  投入口
１４  ＬＣＤパネル
１６  回収口
１８  排出口
５４  アンテナ
５６  分岐部（排出切替え手段）
６０  フォトインタラプタ
７２  ＣＰＵ
７４  メモリ（データ格納部）
７６  Ｒ／Ｗ装置
７８  メダルカウンタ
８０  タイマー
１１２  ソレノイド
２００  遊技メダル
３００  認証メダル
３２０  ＲＦＩＤタグ（メモリ）
【図１】
2005245853.tif 000003
【図２】
2005245853.tif 000004
【図３】
2005245853.tif 000005
【図４】
2005245853.tif 000006
【図５】
2005245853.tif 000007